(57)【特許請求の範囲】
【請求項１】
第１複合材と第２複合材とにより形成されるコーナー部に設けられるコーナーフィレット部を設計するコーナーフィレット部の設計方法であって、
前記コーナーフィレット部の剛性は、調整可能となっており、前記コーナーフィレット部の剛性が調整されることで、前記コーナー部に与えられる引き剥がし応力が調整されることを特徴とするコーナーフィレット部の設計方法。
【請求項２】
前記コーナーフィレット部の剛性は、小さくなるように調整されることで、前記コーナー部に与えられる引き剥がし応力が小さくなるように調整されることを特徴とする請求項１に記載のコーナーフィレット部の設計方法。
【請求項３】
前記コーナーフィレット部は、樹脂材と剛性材料とのうち、少なくとも樹脂材を含み、
前記剛性は、前記樹脂材及び前記剛性材料に対する前記剛性材料の含有率によって調整されることを特徴とする請求項１または２に記載のコーナーフィレット部の設計方法。
【請求項４】
前記コーナーフィレット部は、樹脂材と剛性材料とのうち、少なくとも樹脂材を含み、
前記剛性は、前記樹脂材及び前記剛性材料として用いる材料の種別によって調整されることを特徴とする請求項１または２に記載のコーナーフィレット部の設計方法。
【請求項５】
前記コーナーフィレット部は、形状または大きさによって前記剛性が調整されることを特徴とする請求項１または２に記載のコーナーフィレット部の設計方法。
【請求項６】
第１複合材と、前記第１複合材に接合される第２複合材と、前記第１複合材と前記第２複合材とにより形成されるコーナー部に設けられるコーナーフィレット部と、を備えた複合構造体をタンクに用いた航空機であって、
前記タンクは、長さ方向、幅方向及び高さ方向のそれぞれに直交する壁面を有する長方体の箱状に形成され、
前記コーナーフィレット部は、前記各壁面が交差する交差部において、剛性が大きくなり、前記タンクの長さ方向の中央部において、前記剛性が前記交差部に比して小さくなることを特徴とする航空機。
【発明の詳細な説明】
【技術分野】
【０００１】
本発明は、コーナー部を有するコーナーフィレット部の設計方法及び航空機に関するものである。
【背景技術】
【０００２】
従来、コーナー部を有する複合構造体として、複合材製ハット型補強材が知られている（例えば、特許文献１参照）。複合材製ハット型補強材は、複合材製ハットセクションと、複合材製ハットセクションに接合される複数の複合材製補強プライと、ヌードル状コーナーフィラーとを備える。ヌードル状コーナーフィラーは、複数の複合材製補強プライによって形成される略三角形のヌードル状コーナーフィラー領域に配置される。これにより、ヌードル状コーナーフィラーは、引き剥がし荷重（引き剥がし応力）による剥離を抑制している。
【先行技術文献】
【特許文献】
【０００３】
【特許文献１】特開２０１４−１２４０３号公報
【発明の概要】
【発明が解決しようとする課題】
【０００４】
ここで、ヌードル状コーナーフィラーは、一般的に、炭素繊維に樹脂を含浸させたプリプレグを束ねることで形成される。ここで、プリプレグは、炭素繊維が一方向に連続して揃ったものであり、麺状のプリプレグを束ねることで形成される。このため、ヌードル状コーナーフィラーは、設置される方向に沿って、ほぼ一定の剛性となる。ところで、ヌードル状コーナーフィラーが設置される部位に与えられる引き剥がし荷重は、設置される方向において、一様ではない。例えば、ヌードル状コーナーフィラーが設置される部位は、大きく変位する（撓む）場合があり、この場合、部位における引き剥がし荷重が大きくなる。このとき、ヌードル状コーナーフィラーは、ほぼ一定の剛性となることから、設置される部位に応じた剛性に調整することが困難である。このため、ヌードル状コーナーフィラーの剛性が高い場合、ヌードル状コーナーフィラーを、部位の変形に追従させてしまうと、応力が高くなってしまう。
【０００５】
そこで、本発明は、コーナーフィレット部の剛性を好適に調整することができるコーナーフィレット部の設計方法及び航空機を提供することを課題とする。
【課題を解決するための手段】
【０００６】
本発明の複合構造体は、第１複合材と、前記第１複合材に接合される第２複合材と、前記第１複合材と前記第２複合材とにより形成されるコーナー部に設けられるコーナーフィレット部と、を備え、前記コーナーフィレット部の剛性は、調整可能となっており、前記コーナーフィレット部の剛性が調整されることで、前記コーナー部に与えられる引き剥がし応力が調整されることを特徴とする。
【０００７】
この構成によれば、コーナー部が大きく変位することで、コーナー部に与えられる引き剥がし応力が大きくなる場合であっても、コーナーフィレット部の剛性を小さくすることで、応力が高くなることを抑制でき、コーナー部の変位に好適に追従させることができる。一方で、コーナー部に与えられる引き剥がし応力が小さい場合、コーナーフィレット部の剛性を大きくすることで、コーナーフィレット部を、強度部材として機能させることができる。
【０００８】
また、前記コーナーフィレット部の剛性は、小さくなるように調整されることで、前記コーナー部に与えられる引き剥がし応力が小さくなるように調整されることが好ましい。
【０００９】
この構成によれば、コーナーフィレット部の剛性を小さくすることで、コーナー部に与えられる引き剥がし応力が高くなることを抑制できる。
【００１０】
また、前記コーナーフィレット部は、樹脂材と剛性材料とのうち、少なくとも樹脂材を含み、前記剛性は、前記樹脂材及び前記剛性材料に対する前記剛性材料の含有率によって調整されることが好ましい。
【００１１】
この構成によれば、コーナーフィレット部における剛性材料の含有率を小さくすることで、剛性を低く調整することができる一方で、コーナーフィレット部における剛性材料の含有率を大きくすることで、剛性を高く調整することができる。なお、樹脂材としては、例えば、熱硬化性、熱可塑性等の機能を有するものである。また、剛性材料としては、例えば、炭素繊維、ガラス繊維等である。なお、樹脂材及び剛性材料は、上記のものに限定されない。
【００１２】
また、前記コーナーフィレット部は、樹脂材と剛性材料とのうち、少なくとも樹脂材を含み、前記剛性は、前記樹脂材及び前記剛性材料として用いる材料の種別によって調整されることが好ましい。
【００１３】
この構成によれば、コーナーフィレット部における樹脂材及び剛性材料の種別を変更することで、剛性を調整することができる。
【００１４】
また、前記コーナーフィレット部は、形状または大きさによって前記剛性が調整されることが好ましい。
【００１５】
この構成によれば、コーナーフィレット部の形状または大きさを変更することで、剛性を調整することができる。
【００１６】
本発明の航空機は、上記の複合構造体を翼体に用いた航空機であって、前記コーナーフィレット部は、前記翼体の翼根部から翼端部に向かうにつれて、前記剛性が小さくなることを特徴とする。
【００１７】
この構成によれば、翼体の翼端部は変位が大きいことから、翼端部のコーナー部に与えられる引き剥がし応力が大きくなる場合であっても、コーナーフィレット部の剛性を小さくすることができる。このため、コーナーフィレット部に与えられる応力が高くなることを抑制でき、翼端部の変位に好適に追従させることができる。一方で、翼体の翼根部は変位が小さく、また、強度部材としての機能が重視される。このため、コーナーフィレット部の剛性を大きくすることで、コーナーフィレット部を強度部材として機能させることができる。
【００１８】
本発明の他の航空機は、上記の複合構造体を用いた航空機であって、前記複合構造体には、開口部が設けられ、前記コーナーフィレット部は、前記開口部に近づくにつれて、前記剛性が小さくなることを特徴とする。
【００１９】
この構成によれば、開口部周りは変位が大きいことから、開口部周りのコーナー部に与えられる引き剥がし応力が大きくなる場合であっても、コーナーフィレット部の剛性を小さくすることができる。このため、コーナーフィレット部に与えられる応力が高くなることを抑制でき、開口部周りの変位に好適に追従させることができる。
【００２０】
本発明の他の航空機は、上記の複合構造体をタンクに用いた航空機であって、前記タンクは、長さ方向、幅方向及び高さ方向のそれぞれに直交する壁面を有する長方体の箱状に形成され、前記コーナーフィレット部は、前記各壁面が交差する交差部において、前記剛性が大きくなり、前記タンクの長さ方向の中央部において、前記剛性が前記交差部に比して小さくなることを特徴とする。
【００２１】
この構成によれば、タンクの長さ方向における中央部は変位が大きいことから、タンクの中央部に与えられる引き剥がし応力が大きくなる場合であっても、コーナーフィレット部の剛性を小さくすることができる。このため、コーナーフィレット部に与えられる応力が高くなることを抑制でき、タンクの中央部における変位に好適に追従させることができる。一方で、タンクの交差部は、強度部材としての機能が重視される。このため、コーナーフィレット部の剛性を大きくすることで、コーナーフィレット部を強度部材として機能させることができる。
【００２２】
本発明のコーナーフィレット部の設計方法は、第１複合材と第２複合材とにより形成されるコーナー部に設けられるコーナーフィレット部を設計するコーナーフィレット部の設計方法であって、前記コーナーフィレット部の剛性は、調整可能となっており、前記コーナーフィレット部の剛性が調整されることで、前記コーナー部に与えられる引き剥がし応力が調整されることを特徴とする。
【００２３】
この構成によれば、コーナー部が大きく変位することで、コーナー部に与えられる引き剥がし応力が大きくなる場合であっても、コーナーフィレット部の剛性を小さくすることで、コーナーフィレット部に与えられる応力が高くなることを抑制できる。一方で、コーナー部に与えられる引き剥がし応力が小さい場合、コーナーフィレット部の剛性を大きくすることで、コーナーフィレット部を強度部材として機能させることができる。
【図面の簡単な説明】
【００２４】
【図１】図１は、本実施例に係る複合構造体を適用した航空機の斜視図である。
【図２】図２は、本実施例に係る硬化後の複合構造体の断面図である。
【図３】図３は、翼体における剛性及び引き剥がし応力に関する説明図である。
【図４】図４は、開口部周りにおける剛性及び引き剥がし応力に関する説明図である。
【図５】図５は、タンクにおける剛性及び引き剥がし応力に関する説明図である。
【図６】図６は、実施例１に係る複合構造体の成形方法に関する説明図である。
【発明を実施するための形態】
【００２５】
以下に、本発明に係る実施例を図面に基づいて詳細に説明する。なお、この実施例によりこの発明が限定されるものではない。また、下記実施例における構成要素には、当業者が置換可能かつ容易なもの、あるいは実質的に同一のものが含まれる。さらに、以下に記載した構成要素は適宜組み合わせることが可能であり、また、実施例が複数ある場合には、各実施例を組み合わせることも可能である。
【実施例】
【００２６】
図１は、本実施例に係る複合構造体を適用した航空機の斜視図である。図２は、本実施例に係る硬化後の複合構造体の断面図である。図３は、翼体における剛性及び引き剥がし応力に関する説明図である。図４は、開口部周りにおける剛性及び引き剥がし応力に関する説明図である。図５は、タンクにおける剛性及び引き剥がし応力に関する説明図である。図６は、実施例１に係る複合構造体の成形方法に関する説明図である。
【００２７】
図１に示す航空機１は、複合構造体１０を用いて構成され、例えば、主翼２１、水平尾翼２３、垂直尾翼２４または胴体２２等に適用される。航空機１は、部位に応じて、与えられる応力が異なっている。詳細は後述するが、例えば、複合構造体１０を用いて構成される主翼２１、水平尾翼２３及び垂直尾翼２４等の翼体は、翼根部に比して翼端部に与えられる応力が大きくなっている。また、複合構造体１０を用いて構成される胴体２２は、窓及び扉等の開口部２５が形成され、開口部２５周りに与えられる応力が大きくなっている。先ず、図２を参照して、複合構造体１０について説明する。
【００２８】
図２に示すように、複合構造体１０は、第１複合材１１と、第２複合材１２と、コーナーフィレット部１３と、を備えている。
【００２９】
第１複合材１１及び第２複合材１２は、炭素繊維強化プラスチック（ＣＦＲＰ：Carbon Fiber Reinforced Plastic）を用いて構成されている。なお、本実施例では、第１複合材１１及び第２複合材１２を、ＣＦＲＰを用いて構成したが、樹脂及び繊維を用いた複合材であれば、特に限定されない。第１複合材１１は、平板状に形成されており、その板面が対向するように一対設けられている。第１複合材１１は、例えば、航空機１の翼体及び胴体２２に設けられるスキン（外板）に適用される。
【００３０】
第２複合材１２は、一対の第１複合材１１の間に設けられている。第２複合材１２は、例えば、航空機の翼体及び胴体２２に設けられるストリンガー（縦通材）に適用される。第２複合材１２は、一方の第１複合材１１に当接する当接部１２ａと、他方の第１複合材１１に当接する当接部１２ｂと、一対の第１複合材１１の間に亘って設けられる縦通部１２ｃと、当接部１２ａと縦通部１２ｃとの間の屈曲部１２ｄと、当接部１２ｂと縦通部１２ｃとの間の屈曲部１２ｅと、を有している。この第２複合材１２は、図２の前後方向を奥行き方向として、奥行き方向に延在して形成されている。
【００３１】
当接部１２ａは、一方の第１複合材１１の板面に沿って設けられる。当接部１２ｂは、他方の第１複合材１１の板面に沿って設けられる。ここで、一対の第１複合材１１が対向する方向を厚さ方向（図２の上下方向）とし、奥行き方向及び厚さ方向に直交する方向を幅方向（図２の左右方向）とする。このとき、当接部１２ａと当接部１２ｂとは、幅方向において、交互に配置されている。縦通部１２ｃは、厚さ方向に延びて配置されている。屈曲部１２ｄは、当接部１２ａと縦通部１２ｃとを連結し、奥行き方向に直交する断面において、所定の曲率半径となるように形成されている。屈曲部１２ｅは、当接部１２ｂと縦通部１２ｃとを連結し、奥行き方向に直交する断面において、所定の曲率半径となるように形成されている。そして、第２複合材１２は、当接部１２ａ、当接部１２ｂ、縦通部１２ｃ、屈曲部１２ｄ及び屈曲部１２ｅが連なって一体に形成されることで、ハット形状に形成される。
【００３２】
各第１複合材１１と第２複合材１２との間には、接着剤層１７が設けられている。接着剤層１７は、各第１複合材１１と第２複合材１２の当接部１２ａ，１２ｂとを接合している。接着剤層１７は、硬化前の第１複合材１１と第２複合材１２との間に配置されるフィルム接着剤を熱硬化処理することで形成される。
【００３３】
接着剤層１７を介して接合される第１複合材１１及び第２複合材１２は、屈曲部１２ｄ，１２ｅの径方向外側において、コーナー部（角部）１５を形成している。コーナー部１５は、奥行き方向に延在して形成されている。このコーナー部１５には、第１複合材１１と第２複合材１２との引き剥がし強度を向上させるためにコーナーフィレット部１３が設けられている。なお、第１複合材１１及び第２複合材１２は、図２に示す形状に限定されず、コーナー部１５を形成する形状であれば、いずれの形状であってもよい。また、コーナー部１５は、図２に示す形状に限定されず、いずれの形状であってもよい。
【００３４】
コーナーフィレット部１３は、第１複合材１１と第２複合材１２との間のコーナー部１５に設けられている。コーナーフィレット部１３は、コーナー部１５における第１複合材１１と第２複合材１２との引き剥がし応力を緩和している。コーナーフィレット部１３は、複合構造体１０の硬化前に配置されるフィルム接着剤を熱硬化処理することで形成される。このコーナーフィレット部１３は、予め設計された設計形状Ｐとなるように、設計形状Ｐに対して、フィルム接着剤が充填される。ここで、屈曲部１２ｄ，１２ｅの径方向外側は、所定の曲率半径Ｒとなっており、コーナーフィレット部１３は、屈曲部１２ｄ，１２ｅに倣って形成される。
【００３５】
具体的に、コーナーフィレット部１３の設計形状Ｐは、奥行き方向に直交する断面において、第２複合材１２（の屈曲部１２ｄ，１２ｅ）に接する面が、所定の曲率半径Ｒとなっており、また、外部に接する面も、所定の曲率半径Ｒとなっている。つまり、本実施例におけるコーナーフィレット部１３の設計形状Ｐの断面積Ｓは、「Ｓ＝Ｌ×ｈ−πＲ２／２」で表される。なお、Ｌは、コーナーフィレット部１３の第１複合材１１に接する底辺の長さであり、ｈは、厚さ方向における第１複合材１１からの長さ（高さ）である。なお、コーナーフィレット部１３の設計形状Ｐは、上記の形状に限定されず、コーナー部１５における引き剥がし応力を緩和可能な形状であれば、いずれの形状であってもよい。
【００３６】
このとき、コーナーフィレット部１３と接着剤層１７とは、フィルム接着剤を用いて形成されることから、同じ材料を含んで形成されることとなる。ここで、フィルム接着剤は、熱硬化性樹脂材を用いて構成され、例えば、エポキシ系樹脂を用いた、０．１ｍｍ〜０．２ｍｍ程度の膜厚となるフィルム状のものである。そして、コーナーフィレット部１３は、樹脂材と剛性材料とを含んで構成されている。なお、本実施例では、樹脂材として、フィルム接着剤を用いたが、例えば、熱可塑性等の機能を有する樹脂材であってもよく、特に限定されない。また、剛性材料としては、例えば、炭素繊維またはカーボンナノチューブ等の炭素系材料であってもよいし、ガラス繊維等であってもよい。また、炭素繊維またはガラス繊維を用いる場合には、裁断したものであってもよい。なお、以下では、樹脂材として、熱硬化性樹脂材に適用し、剛性材料として、炭素系材料に適用して説明する。
【００３７】
ここで、コーナーフィレット部１３は、コーナー部１５に与えられる引き剥がし応力に基づいて、熱硬化性樹脂材と炭素系材料との割合が調整されている。具体的に、コーナーフィレット部１３は、コーナー部１５に与えられる引き剥がし応力が大きくなるにつれて、炭素系材料の含有率が小さくなる一方で、コーナー部１５に与えられる引き剥がし応力が小さくなるにつれて、炭素系材料の含有率が大きくなる。このため、コーナーフィレット部１３は、例えば、強度部材として機能させたい場合、炭素系材料の含有率が大きくなる。一方で、コーナーフィレット部１３は、コーナー部１５における部材の変位に対する追従性を向上させたい場合、炭素系材料の含有率が小さくなる。なお、炭素系材料の含有率が小さい場合としては、０％も含み、この場合、コーナーフィレット部１３は、熱硬化性樹脂材のみで構成される。
【００３８】
次に、図３を参照して、複合構造体１０が翼体に適用されたときの、コーナーフィレット部１３の剛性と、引き剥がし応力Ｐとについて説明する。なお、図３では、翼体として、主翼２１に適用した場合について説明する。主翼２１は、その翼根部が胴体２２に接続され、その翼端部が自由端となっている。主翼２１は、その翼根部における変位が小さく、翼端部へ向かうにつれて変位が大きくなる。
【００３９】
図３に示すように、主翼２１に与えられる引き剥がし応力は、翼根部側において小さく、翼端部へ向かうにつれて大きくなる。このような引き剥がし応力に対し、コーナーフィレット部１３の剛性は、翼根部において高く、翼端部へ向かうにつれて低くなるように調整される。このため、主翼２１に設けられるコーナーフィレット部１３は、翼根部において炭素系材料の含有率が大きく、翼端部へ向かうにつれて炭素系材料の含有率が小さくなる。これは、変位が大きい主翼２１の翼端部において、翼端部の変位に対するコーナーフィレット部１３の追従性を向上させるためである。また、変位が小さい主翼２１の翼根部において、コーナーフィレット部１３を強度部材として機能させるためである。
【００４０】
次に、図４を参照して、複合構造体１０が胴体２２に適用されたときの、コーナーフィレット部１３の剛性と、引き剥がし応力とについて説明する。胴体２２には、窓及び扉等の開口部２５が形成されている。胴体２２は、開口部２５に沿う開口縁部における変位が大きく、開口部２５から離れるにつれて変位が小さくなる。
【００４１】
図４に示すように、胴体２２に与えられる引き剥がし応力は、開口部２５側において大きく、開口部２５から離れるにつれて小さくなる。このような引き剥がし応力に対し、コーナーフィレット部１３の剛性は、開口部２５側（開口縁部）において低く、開口部２５から離れるにつれて高くなるように調整される。このため、胴体２２に設けられるコーナーフィレット部１３は、開口部２５側において炭素系材料の含有率が小さく、開口部２５から離れるにつれて炭素系材料の含有率が大きくなる。これは、変位が大きい胴体２２の開口部２５側において、開口縁部の変位に対するコーナーフィレット部１３の追従性を向上させるためである。また、開口部２５から離れた変位が小さい胴体２２において、コーナーフィレット部１３を強度部材として機能させるためである。
【００４２】
次に、図５を参照して、複合構造体１０が燃料等を溜めるタンク２７に適用されたときの、コーナーフィレット部１３の剛性と、引き剥がし応力とについて説明する。タンク２７は、長方体の箱状に形成されている。ここで、三次元の直交座標系におけるそれぞれの方向を、長さ方向、幅方向及び高さ方向とする。タンク２７は、長さ方向に直交する２つの壁面２９と、幅方向に直交する２つの壁面２９と、高さ方向に直交する２つの壁面２９とを有し、６つの壁面２９が交差して接合されることで形成されている。
【００４３】
タンク２７は、各壁面２９が交差する交差部３０を、強度部材として機能させるために、高い剛性が要求される。また、タンク２７は、内圧によって、長さ方向の中央部における変位が大きくなる。このため、コーナーフィレット部１３の剛性は、タンク２７の長さ方向の中央部において低く、タンク２７の交差部３０において高くなるように調整される。よって、タンク２７に設けられるコーナーフィレット部１３は、タンク２７の長さ方向の中央部において炭素系材料の含有率が小さく、タンク２７の交差部３０において炭素系材料の含有率が大きくなる。
【００４４】
次に、図６を参照して、上記のコーナーフィレット部１３を設計する設計方法について説明する。先ず、航空機１において、主翼２１を含む翼体及び胴体２２等の構造体に与えられる引き剥がし応力が導出される（ステップＳ１：応力導出工程）。次に、導出された引き剥がし応力が適切な応力となるようにコーナーフィレット部１３の剛性が設定され、設定された剛性に応じて、コーナーフィレット部１３に含まれる炭素系材料の含有率を設定する（ステップＳ２：含有率設定工程）。そして、コーナーフィレット部１３は、含有率設定工程において設定された炭素系材料の含有率に応じた、熱硬化性樹脂材と炭素系材料との割合とし、この割合で熱硬化処理が行われることで形成される。
【００４５】
以上のように、本実施例によれば、コーナー部１５が大きく変位することで、コーナー部１５に与えられる引き剥がし応力が大きくなる場合であっても、コーナーフィレット部１３における炭素系材料の含有率を小さくすることで、剛性を低く調整することができる。このため、コーナーフィレット部１３は、応力が高くなることを抑制でき、コーナー部１５の変位に好適に追従させることができる。一方で、コーナー部１５に与えられる引き剥がし応力が小さい場合、コーナーフィレット部１３における炭素系材料の含有率を大きくすることで、剛性が高くなるように調整することができる。このため、コーナーフィレット部１３を、強度部材として機能させることができる。
【００４６】
また、本実施例によれば、主翼２１等の翼体の翼端部は変位が大きいことから、翼端部のコーナー部１５に与えられる引き剥がし応力が大きくなる場合であっても、コーナーフィレット部１３における炭素系材料の含有率を小さくすることで、剛性を低く調整することができる。このため、コーナーフィレット部１３は、応力が高くなることを抑制でき、翼端部の変位に好適に追従させることができる。一方で、翼体の翼根部は変位が小さく、また、強度部材としての機能が重視される。このため、コーナーフィレット部１３における炭素系材料の含有率を大きくすることで、剛性を高く調整することができる。
【００４７】
また、本実施例によれば、胴体２２の開口部２５周りは変位が大きいことから、開口部２５周りのコーナー部１５に与えられる引き剥がし応力が大きくなる場合であっても、コーナーフィレット部１３における炭素系材料の含有率を小さくすることで、剛性を低く調整することができる。このため、コーナーフィレット部１３は、応力が高くなることを抑制でき、開口部２５周りの変位に好適に追従させることができる。
【００４８】
また、本実施例によれば、タンク２７の長さ方向における中央部は変位が大きいことから、タンク２７の中央部に与えられる引き剥がし応力が大きくなる場合であっても、コーナーフィレット部１３における炭素系材料の含有率を小さくすることで、剛性を低く調整することができる。このため、コーナーフィレット部１３は、応力が高くなることを抑制でき、タンク２７の中央部における変位に好適に追従させることができる。一方で、タンク２７の交差部３０は、コーナーフィレット部における炭素系材料の含有率を大きくすることで、剛性を高く調整できることから、強度部材として機能させることができる。
【００４９】
なお、本実施例では、コーナーフィレット部１３を形成する熱硬化性樹脂材として、フィルム接着剤を用いたが、特に限定されない。
【００５０】
また、本実施例では、コーナーフィレット部１３に含まれる熱硬化性樹脂材及び炭素系材料に対する、炭素系材料の含有率を調整することで、コーナーフィレット部１３の剛性を調整したが、この構成に限定されない。例えば、樹脂材及び剛性材料として用いる材料の種別を変更することで、コーナーフィレット部１３の剛性を調整してもよいし、コーナーフィレット部の形状または大きさを変更することで、剛性を調整してもよい。
【符号の説明】
【００５１】
１  航空機
１０  複合構造体
１１  第１複合材
１２  第２複合材
１３  コーナーフィレット部
１５  コーナー部
１７  接着剤層
２１  主翼
２２  胴体
２５  開口部
２７  タンク
２９  壁面
３０  交差部
Ｐ  設計形状
Ｓ  設計形状の面積
Ｌ  設計形状の底辺
ｈ  設計形状の高さ
【図１】
0006501511.tif 000002
【図２】
0006501511.tif 000003
【図３】
0006501511.tif 000004
【図４】
0006501511.tif 000005
【図５】
0006501511.tif 000006
【図６】
0006501511.tif 000007